(57)【要約】【課題】異なるサイズが混載している原稿の両面を読み取る際の原稿の搬送効率を向上させることができる原稿読取装置を提供する。【解決手段】給紙ローラ１４０は、給紙トレイ１４４に載置された原稿を給紙する。第１搬送路１９４は、給紙された原稿を搬送する。読取部１２０は、搬送中の原稿を読み取る。反転ローラ１５０は、両面読取時には、原稿の後端部において原稿をスイッチバック搬送して原稿を反転する。第２搬送路１９６は、反転された原稿を第１搬送路１９４に搬送する。排紙トレイ１９０は、反転ローラ１５０の下方に設けられ、反転ローラ１５０を通過した原稿を収容する。原稿サイズ取得部１６０は、給紙トレイ１４４に載置された原稿サイズを取得する。ＣＰＵ１１０は、原稿サイズ取得部１６０で取得された原稿サイズのうち、搬送方向の長さが最小の最小原稿サイズと搬送方向の長さが最大の最大原稿サイズとを判別可能である。【選択図】図１
2010206501.tif 000002
【特許請求の範囲】
【請求項１】
異なるサイズの原稿の両面を読み取り可能な両面混載読取モードが可能であり、原稿をフェイスダウンさせて排紙する原稿読取装置であって、
給紙トレイに載置された原稿を給紙する給紙部と、
前記給紙部で給紙された原稿を搬送する第１搬送路と、
前記第１搬送路において搬送中の原稿を読み取る読取部と、
両面読取時には、原稿の後端部において原稿をスイッチバック搬送して原稿を反転する反転部と、
前記反転部で反転された原稿を前記第１搬送路に搬送する第２搬送路と、
前記反転部の下方に設けられ、前記反転部を通過した原稿を収容する排紙トレイと、
前記給紙トレイに載置された原稿サイズを取得する原稿サイズ取得部と、
前記原稿サイズ取得部で取得された原稿サイズのうち、搬送方向の長さが最小の最小原稿サイズと搬送方向の長さが最大の最大原稿サイズとを判別可能な制御部と、
を備え、
前記制御部は、前記両面混載読取モードの際には、前記給紙部で給紙される給紙原稿を前記最小原稿サイズとし、前記読取部で両面の読み取りが終了して前記反転部で反転されて前記第２搬送路において搬送中の反転原稿を前記最大原稿サイズとしたうえで、前記給紙原稿の後端部が前記反転原稿に重ならないように前記反転原稿に前記給紙原稿を重ね合わせるタイミングで前記給紙部に前記給紙原稿を給紙させる原稿読取装置。
【請求項２】
前記原稿サイズ取得部は、ユーザからの入力情報に基づいて前記給紙トレイに載置された原稿の原稿サイズを取得する請求項１に記載の原稿読取装置。
【請求項３】
前記給紙部で給紙された原稿の搬送方向の長さを検出するための検出部をさらに備え、
前記制御部は、前記検出部で検出された前記反転原稿の搬送方向の長さに応じたタイミングで前記給紙部に前記給紙原稿を給紙させる請求項１または２に記載の原稿読取装置。
【発明の詳細な説明】
【技術分野】
【０００１】
本発明は、異なるサイズの原稿が混載されている状態でも原稿を読み取ることが可能な原稿読取装置に関する。
【背景技術】
【０００２】
原稿読取装置において原稿の両面を読み取る際には、原稿の第１面を読み取った後で原稿を反転させ、続いて原稿の第２面を読み取る。第２面を読み取った原稿をそのまま排出すると、排出された原稿の順番が逆になるため、第２面を読み取った後にさらに反転させて原稿を排出する。このように、原稿読取装置において原稿の両面を読み取る際には、第２面を読み取った後でさらに反転させて原稿を排出しなければならないため、原稿の第１面を読み取ってそのまま排出する片面読み取りの際に比べて大幅な時間がかかっていた。
【０００３】
そこで、第２面を読み取った後で反転させた原稿に次の原稿を重ねて搬送することで、原稿の両面を読み取る際の原稿の搬送効率を向上させる原稿読取装置が開示されている（例えば、特許文献１参照。）。
【先行技術文献】
【特許文献】
【０００４】
【特許文献１】特開２００４−１７５４６０号公報
【発明の概要】
【発明が解決しようとする課題】
【０００５】
特許文献１のように２枚の原稿を重ねて搬送する際には、先の原稿を排出するとともに裏面を読み取るために後の原稿を反転させなければならない。そこで、特許文献１では、後の原稿の後端部が先の原稿に重ならないように後の原稿を先の原稿に重ねるようにしている。したがって、後の原稿の後端部を反転ローラにて保持した際に先の原稿は反転ローラにて保持されないため、後の原稿のみが反転し、先の原稿は排出される。
【０００６】
しかし、特許文献１は、先の原稿に対して後の原稿を重ねるタイミングが一律であるため、異なるサイズの原稿が混載されている場合には適用できない。つまり、先の原稿の搬送方向の長さよりも後の原稿の搬送方向の長さが短い場合、後の原稿の後端部が先の原稿に重なってしまい、先の原稿と後の原稿とを分離できない。
【０００７】
そこで本発明の目的は、上記課題に鑑み、異なるサイズが混載している原稿の両面を読み取る際の原稿の搬送効率を向上させることができる原稿読取装置を提供することにある。
【課題を解決するための手段】
【０００８】
本発明の原稿読取装置は、異なるサイズの原稿の両面を読み取り可能な両面混載読取モードが可能であり、原稿をフェイスダウンさせて排紙する。また、本発明の原稿読取装置は、給紙部、第１搬送路、読取部、反転部、第２搬送路、排紙トレイ、原稿サイズ取得部および制御部を備える。給紙部は、給紙トレイに載置された原稿を給紙する。第１搬送路は、給紙部で給紙された原稿を搬送する。読取部は、第１搬送路において搬送中の原稿を読み取る。反転部は、両面読取時には、原稿の後端部において原稿をスイッチバック搬送して原稿を反転する。第２搬送路は、反転部で反転された原稿を第１搬送路に搬送する。排紙トレイは、反転部の下方に設けられ、反転部を通過した原稿を収容する。原稿サイズ取得部は、給紙トレイに載置された原稿サイズを取得する。制御部は、原稿サイズ取得部で取得された原稿サイズのうち、搬送方向の長さが最小の最小原稿サイズと搬送方向の長さが最大の最大原稿サイズとを判別可能である。また、制御部は、両面混載読取モードの際には、給紙部で給紙される給紙原稿を最小原稿サイズとし、読取部で両面の読み取りが終了して反転部で反転されて第２搬送路において搬送中の反転原稿を最大原稿サイズとしたうえで、給紙原稿の後端部が反転原稿に重ならないように反転原稿に給紙原稿を重ね合わせるタイミングで給紙部に給紙原稿を給紙させる。
【０００９】
この構成では、先行する反転原稿の搬送方向の長さを最大原稿サイズとし、後続する給紙原稿の搬送方向の長さを最小原稿サイズとして給紙原稿の給紙タイミングを制御することで、給紙トレイに混載されている原稿の原稿サイズに関わらず、給紙原稿の後端部が反転原稿に重ならないように反転原稿に給紙原稿を重ね合わせることができる。そして、重ね合った原稿のうち給紙原稿は、第１搬送路において搬送中に読取部で読み取られる。その後、反転部で給紙原稿の後端部において給紙原稿がスイッチバック搬送されて給紙原稿が反転される。このとき、反転原稿は反転部を通過した状態にあるため、そのまま排紙トレイに収容される。その後、給紙原稿は、第２搬送路を通過して第１搬送路に入り、読取部において裏面が読み取られる。したがって、異なるサイズが混載している原稿の両面を読み取る際の原稿の搬送効率を向上させることができる。
【００１０】
原稿サイズ取得部は、ユーザからの入力情報に基づいて給紙トレイに載置された原稿の原稿サイズを取得すると好ましい。
【００１１】
この構成では、実際に給紙トレイに載置されている原稿の原稿サイズを取得することができるため、制御部は、この取得した情報に基づいて最小原稿サイズと最大原稿サイズとを決定することができる。したがって、給紙トレイに載置されている原稿の原稿サイズに即して、異なるサイズが混載している原稿の両面を読み取る際の原稿の搬送効率を向上させることができる。
【００１２】
本発明の原稿装置は、給紙部で給紙された原稿の搬送方向の長さを検出するための検出部をさらに備えると好ましい。制御部は、検出部で検出された反転原稿の搬送方向の長さに応じたタイミングで給紙部に給紙原稿を給紙させると好ましい。
【００１３】
この構成では、先行する反転原稿の実際の搬送方向の長さに応じて給紙原稿を給紙するタイミングを制御することで、反転原稿の搬送方向の長さに即して、異なるサイズが混載している原稿の両面を読み取る際の原稿の搬送効率を向上させることができる。
【発明の効果】
【００１４】
本発明における原稿読取装置は、異なるサイズが混載している原稿の両面を読み取る際の原稿の搬送効率を向上させることができる。
【図面の簡単な説明】
【００１５】
【図１】本発明の実施形態に係る原稿読取装置の主要な構成を示す図である。
【図２】本発明の実施形態に係る原稿読取装置の主要な構成を示すブロック図である。
【図３】本発明の実施形態に係る原稿読取装置における制御部の制御内容を示すフローチャートである。
【図４】本発明の実施形態に係る原稿読取装置における制御部の制御内容を示すフローチャートである。
【図５】本発明の実施形態に係る原稿読取装置において原稿が搬送される様子を示す図である。
【図６】本発明の実施形態に係る原稿読取装置において原稿が搬送される様子を示す図である。
【図７】本発明の実施形態に係る原稿読取装置において原稿が搬送される様子を示す図である。
【図８】本発明の実施形態に係る原稿読取装置において原稿が搬送される様子を示す図である。
【図９】本発明の実施形態に係る原稿読取装置において原稿が搬送される様子を示す図である。
【図１０】本発明の実施形態に係る原稿読取装置において原稿が搬送される様子を示す図である。
【図１１】本発明の実施形態に係る原稿読取装置において原稿が搬送される様子を示す図である。
【図１２】本発明の実施形態に係る原稿読取装置において原稿が搬送される様子を示す図である。
【図１３】本発明の実施形態に係る原稿読取装置において原稿が搬送される様子を示す図である。
【図１４】本発明の実施形態に係る原稿読取装置において原稿が搬送される様子を示す図である。
【図１５】本発明の実施形態に係る原稿読取装置において原稿が搬送される様子を示す図である。
【図１６】本発明の実施形態に係る原稿読取装置において原稿が搬送される様子を示す図である。
【図１７】本発明の実施形態に係る原稿読取装置において原稿が搬送される様子を示す図である。
【図１８】本発明の実施形態に係る原稿読取装置において原稿が搬送される様子を示す図である。
【発明を実施するための形態】
【００１６】
以下、本発明の実施形態に係る原稿読取装置を、図面を参照しつつ詳細に説明する。
【００１７】
図１は、本発明の実施形態に係る原稿読取装置の主要な構成を示す図である。
【００１８】
原稿読取装置１００は、異なるサイズの原稿の両面を読み取り可能な両面混載読取モードが可能であり、原稿をフェイスダウンさせて排紙する。
【００１９】
原稿読取装置１００は、給紙トレイ１４４、給紙ローラ１４０、給紙搬送路１９２、検出センサ１３０、第１搬送路１９４、読取部１２０、反転搬送路１５４、反転ローラ１５０、第２搬送路１９６および排紙トレイ１９０を備える。
【００２０】
給紙ローラ１４０は、給紙トレイ１４４に載置された原稿を給紙する。給紙搬送路１９２は、給紙トレイ１４４の下流に位置し、給紙ローラ１４０で給紙された原稿を搬送する。検出センサ１３０は、給紙搬送路１９２上に設けられており、給紙ローラ１４０で給紙された原稿の搬送方向の長さを検出する。第１搬送路１９４は、給紙搬送路１９２の下流に位置し、給紙ローラ１４０で給紙された原稿を搬送する。読取部１２０は、第１搬送路１９４上に設けられ、第１搬送路１９４において搬送中の原稿を読み取る。
【００２１】
反転搬送路１５４は、第１搬送路１９４の下流に位置し、原稿を反転させるための空間である。反転ローラ１５０は、反転搬送路１５４上に設けられ、原稿の後端部において原稿をスイッチバック搬送して原稿を反転する。第２搬送路１９６は、反転搬送路１５４の下流に位置し、反転ローラ１５０で反転された原稿を第１搬送路１９４に搬送する。排紙トレイ１９０は、反転ローラ１５０の下方に設けられ、反転ローラ１５０を通過した原稿を収容する。
【００２２】
図２は、本発明の実施形態に係る原稿読取装置の主要な構成を示すブロック図である。
【００２３】
原稿読取装置１００は、ＣＰＵ１１０、ＲＯＭ１１２、ＲＡＭ１１４、読取部１２０、検出センサ１３０、原稿サイズ取得部１６０および原稿サイズ入力部１７０を備える。
【００２４】
ＣＰＵ１１０は、ＲＯＭ１１２に格納されているプログラムを読み出して実行し、各部を総括的に制御する。ＲＡＭ１１４は、ＣＰＵ１１０のワーキングエリアとして活用される。読取部１２０は、上述したように、第１搬送路１９４上に設けられ、第１搬送路１９４において搬送中の原稿を読み取る。検出センサ１３０は、上述したように、給紙搬送路１９２上に設けられており、給紙ローラ１４０で給紙された原稿の搬送方向の長さを検出する。
【００２５】
原稿サイズ取得部１６０は、給紙トレイ１４４に載置された原稿サイズを取得する。具体的には、給紙トレイ１４４に備えられる原稿ガイドの位置に基づき、給紙トレイ１４４に載置可能な原稿サイズを取得する。
【００２６】
原稿サイズ入力部１７０は、ユーザから、給紙トレイ１４４に載置された原稿サイズの入力を受け付ける。原稿サイズ取得部１６０は、原稿サイズ入力部１７０において原稿サイズの入力がされると、原稿サイズ入力部１７０から、給紙トレイ１４４に載置された原稿サイズを取得する。
【００２７】
この構成では、ＣＰＵ１１０は、実際に給紙トレイ１４４に載置されている原稿の原稿サイズを取得することができるため、この取得した情報に基づいて最小原稿サイズと最大原稿サイズとを決定することができる。
【００２８】
図３および図４は、本発明の実施形態に係る原稿読取装置における制御部の制御内容を示すフローチャートである。原稿読取装置１００は、両面混載読取モードの他にも、片面読取モードや単一サイズの原稿を読み取るモード等が可能であるが、本実施形態では、両面混載読取モードで原稿を読み取る場合について説明する。
【００２９】
ＣＰＵ１１０は、原稿読取装置１００において読取ジョブが実行されるまで待機する（Ｓ１０のＮ）。ＣＰＵ１１０は、原稿読取装置１００において読取ジョブが実行されると（Ｓ１０のＹ）、原稿サイズ取得部１６０に給紙トレイ１４４に載置された原稿サイズを取得させる（Ｓ２０）。Ｓ２０に基づいて、ＣＰＵ１１０は、給紙トレイ１４４に載置された原稿の最小原稿サイズと最大原稿サイズとを判別する（Ｓ２５）。その後、ＣＰＵ１１０は、給紙ローラ１４０に原稿を給紙させ（Ｓ３０）、図５に示すように、原稿を給紙搬送路１９２へ搬送させる（Ｓ４０）。そして、原稿が検出センサ１３０の位置を通過すると、ＣＰＵ１１０は、検出センサ１３０の検出結果に基づいて原稿の搬送方向の長さを決定する（Ｓ５０）。そして、ＣＰＵ１１０は、原稿を第１搬送路１９４へ搬送する（Ｓ６０）。
【００３０】
その後、ＣＰＵ１１０は、原稿の先端が読取部１２０の読取位置に到達するまで待機する（Ｓ７０のＮ）。ＣＰＵ１１０は、図６に示すように、原稿の先端が読取部１２０の読取位置に到達したと判断すると（Ｓ７０のＹ）、読取部１２０にその原稿の読取面を読み取らせる（Ｓ８０）。本実施形態では、各ローラを駆動するためのモータにステッピングモータを用いているため、ＣＰＵ１１０は、モータのステップ数に基づいて原稿の位置を把握することが可能である。
【００３１】
その後、ＣＰＵ１１０は、図７に示すように、原稿を反転搬送路１５４へ搬送する（Ｓ９０）。そして、ＣＰＵ１１０は、原稿の後端部が反転ローラ１５０に到達するまで待機する（Ｓ１００のＮ）。ＣＰＵ１１０は、図８に示すように、原稿の後端部が反転ローラ１５０に到達したと判断すると（Ｓ１００のＹ）、反転ローラ１５０において原稿を反転し（Ｓ１１０）、図９に示すように、原稿を第２搬送路１９６へ搬送する（Ｓ１２０）。
【００３２】
ここで、ＣＰＵ１１０は、反転ローラ１５０において反転した原稿の両面が読み取られたかどうかを判断する（Ｓ１３０）。ＣＰＵ１１０は、原稿が片面しか読み取られていないと判断すると（Ｓ１３０のＮ）、Ｓ６０の処理に戻る。ＣＰＵ１１０は、原稿が両面とも読み取られていると判断すると（Ｓ１３０のＹ）、次に給紙すべき原稿（以下、給紙原稿とする。）があるかどうかを判断する（Ｓ１４０）。ＣＰＵ１１０は、給紙原稿がないと判断すると（Ｓ１４０のＮ）、第２搬送路１９６において搬送中の原稿を、図１０に示すように第１搬送路１９４へ搬送する（Ｓ１５０）。その後、ＣＰＵ１１０は、その原稿を反転ローラ１５０まで搬送し、反転ローラ１５０を通過させて排紙トレイ１９０に収容し（Ｓ１６０）、本実施形態の制御を終了する。
【００３３】
ＣＰＵ１１０は、Ｓ１４０において給紙原稿があると判断すると（Ｓ１４０のＹ）、第２搬送路１９６において搬送中の原稿（以下、反転原稿とする。）を第１搬送路１９４へ搬送する（Ｓ１７０）。そして、ＣＰＵ１１０は、給紙原稿の後端部が反転原稿に重ならないように反転原稿に給紙原稿を重ね合わせることができるタイミングがくるまで待機する（Ｓ１８０のＮ）。このタイミングは、Ｓ２５において判別した原稿サイズとＳ５０において検出した反転原稿の搬送方向の長さとに基づいて決定される。ＣＰＵ１１０は、前記タイミングがきたと判断すると（Ｓ１８０のＹ）、図１１に示すように、給紙ローラ１４０に給紙原稿を給紙させ（Ｓ１９０）、図１２に示すように、給紙原稿を給紙搬送路１９２へ搬送する（Ｓ２００）。そして、給紙原稿が検出センサ１３０の位置を通過すると、ＣＰＵ１１０は、検出センサ１３０の検出結果に基づいて給紙原稿の搬送方向の長さを決定する（Ｓ２１０）。そして、ＣＰＵ１１０は、給紙原稿を第１搬送路１９４へ搬送する（Ｓ２２０）。すると、図１３に示すように、給紙原稿の後端部が反転原稿に重ならないように反転原稿と給紙原稿とが重なった状態で第１搬送路１９４において搬送される。
【００３４】
その後、ＣＰＵ１１０は、給紙原稿の先端が読取部１２０の読取位置に到達するまで待機する（Ｓ２３０のＮ）。ＣＰＵ１１０は、図１４に示すように、給紙原稿の先端が読取部１２０の読取位置に到達したと判断すると（Ｓ２３０のＹ）、読取部１２０にその原稿の読取面を読み取らせる（Ｓ２４０）。
【００３５】
その後、ＣＰＵ１１０は、図１５に示すように、反転原稿および給紙原稿を反転搬送路１５４へ搬送する（Ｓ２５０）。そして、ＣＰＵ１１０は、給紙原稿の後端部が反転ローラ１５０に到達するまで待機する（Ｓ２６０のＮ）。ＣＰＵ１１０は、図１６に示すように、給紙原稿の後端部が反転ローラ１５０に到達したと判断すると（Ｓ２６０のＹ）、反転ローラ１５０において給紙原稿を反転し（Ｓ２７０）、図１７に示すように、給紙原稿を第２搬送路１９６へ搬送する（Ｓ２８０）。その後、Ｓ６０の処理に戻る。
【００３６】
反転ローラ１９６において給紙原稿の後端部が反転ローラ１５０に到達した場合、図１６に示すように、給紙原稿は反転ローラ１５０に保持されているが、反転原稿は反転ローラ１５０を通過している。したがって、図１７に示すように、給紙原稿のみが第２搬送路１９６に搬送され、反転原稿は排紙トレイ１９０に収容される。
【００３７】
また、図１２および図１８に示すように、検出センサ１３０で検出された反転原稿のサイズが小さい場合は、反転原稿のサイズが大きい場合に比べて早いタイミングで給紙原稿の給紙を開始できる。
【００３８】
以上のように、先行する反転原稿の実際の搬送方向の長さに応じて給紙原稿を給紙するタイミングを制御することで、反転原稿の搬送方向の長さに即して、異なるサイズが混載している原稿の両面を読み取る際の原稿の搬送効率を向上させることができる。
【００３９】
また、Ｓ２０において、原稿サイズ取得部１６０が原稿サイズ入力部１７０から給紙トレイ１４４に載置されている原稿サイズを取得した場合、給紙トレイに載置されている原稿の原稿サイズに即して、異なるサイズが混載している原稿の両面を読み取る際の原稿の搬送効率を向上させることができる。
【００４０】
なお、本実施形態では、検出センサ１３０を設けて原稿の搬送方向の長さを検出しているが、検出センサ１３０は必須の構成ではない。検出センサ１３０を設けない構成においては、先行する反転原稿の搬送方向の長さを最大原稿サイズとし、後続する給紙原稿の搬送方向の長さを最小原稿サイズとして給紙原稿の給紙タイミングを制御することで、給紙トレイに混載されている原稿の原稿サイズに関わらず、給紙原稿の後端部が反転原稿に重ならないように反転原稿に給紙原稿を重ね合わせることができる。したがって、原稿読取装置１００の製造コストをダウンさせることができ、異なるサイズが混載している原稿の両面を読み取る際の原稿の搬送効率を向上させることができる。
【００４１】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４２】
１００−原稿読取装置
１１０−ＣＰＵ
１２０−読取部
１３０−検出センサ
１４０−給紙ローラ
１５０−反転ローラ
１６０−原稿サイズ取得部
１９０−排紙トレイ
１９４−第１搬送路
１９６−第２搬送路
【図１】
2010206501.tif 000003
【図２】
2010206501.tif 000004
【図３】
2010206501.tif 000005
【図４】
2010206501.tif 000006
【図５】
2010206501.tif 000007
【図６】
2010206501.tif 000008
【図７】
2010206501.tif 000009
【図８】
2010206501.tif 000010
【図９】
2010206501.tif 000011
【図１０】
2010206501.tif 000012
【図１１】
2010206501.tif 000013
【図１２】
2010206501.tif 000014
【図１３】
2010206501.tif 000015
【図１４】
2010206501.tif 000016
【図１５】
2010206501.tif 000017
【図１６】
2010206501.tif 000018
【図１７】
2010206501.tif 000019
【図１８】
2010206501.tif 000020